(57)【要約】【課題】外壁の段差に対応可能であり、かつ外壁と竪樋との間隔の微調整が可能な竪樋支持具を提供する。【解決手段】竪樋１１を外壁Ｔに支持固定する竪樋支持具１において、外壁Ｔに取り付けられる第１固定部材２と、竪樋１１に取り付けられて竪樋１１を支持するとともに第１固定部材２と連結可能な第２固定部材３と、を備え、第１固定部材２は、第２固定部材３側に第１嵌合部２１を有し、第２固定部材３は、第１固定部材２側に第１嵌合部２１と嵌合可能な第２嵌合部３１を有し、第１嵌合部２１および第２嵌合部３１は、奥行き方向（第１固定部材２と第２固定部材３とを結ぶ第１方向）Ｃに同じ長さ、上下方向（第１方向と交差する第２方向）Ａに同じ長さの複数の段部を有する階段状に形成されている。【選択図】図１
2015067989.tif 000002
【特許請求の範囲】
【請求項１】
竪樋を外壁に支持固定する竪樋支持具において、
前記外壁に取り付けられる第１固定部材と、
前記竪樋に取り付けられて前記竪樋を支持するとともに前記第１固定部材と連結可能な第２固定部材と、を備え、
前記第１固定部材は、前記第２固定部材側に第１嵌合部を有し、前記第２固定部は、前記第１固定部材側に前記第１嵌合部と嵌合可能な第２嵌合部を有し、
前記第１嵌合部および前記第２嵌合部は、前記第１固定部材と前記第２固定部材とを結ぶ第1方向に同じ長さ、前記第１方向と交差する第２方向に同じ長さの複数の段部を有する階段状に形成されていることを特徴とする竪樋支持具。
【請求項２】
前記第１固定部材は、前記第１嵌合部の段部の前記第１方向の長さと前記第２方向の長さとが異なり、前記段部の前記第２方向と前記第１方向とが入れ替わるように向きを変えて前記外壁側に取り付け可能に構成されていることを特徴とする請求項１に記載の竪樋支持具。
【請求項３】
前記第１嵌合部および前記第２嵌合部の一方には、他方側に突出する爪部が形成され、他方には、前記爪部が挿入されて該爪部が係合される開口部が形成されていることを特徴とする請求項１または２に記載の竪樋支持具。
【発明の詳細な説明】
【技術分野】
【０００１】
本発明は、竪樋を支持して固定する竪樋支持具に関する。
【背景技術】
【０００２】
従来、竪樋を建物などの外壁に支持固定するために竪樋支持具が使用されている。
通常、１つの竪樋に対して竪樋の長さ方向に所定の間隔をあけて設置される複数の竪樋支持具を使用しているが、外壁に段差があり竪樋支持具の設置個所の外壁と竪樋との間隔が異なる場合は、異なる間隔に対応するように数種類の竪樋支持具を使用したり、特許文献１および２に開示されているような、一種類で異なる間隔に対応して竪樋を支持することができる竪樋支持具を使用したりしている。
【０００３】
特許文献１に開示された竪樋支持具は、外壁に固定される固定部材と、竪樋と固定部材とを連結可能なスペーサとを備えていて、竪樋と固定部材との間に設けられるスペーサの数を変えることで、外壁と竪樋との間隔を調整できるように構成されている。
また、特許文献２に開示された竪樋支持具は、外壁と竪樋との間に取り付ける向きを変えることで、外壁と竪樋との間隔を調整できるように構成されている。
【先行技術文献】
【特許文献】
【０００４】
【特許文献１】特開２０１２−１３６８９９号公報
【特許文献２】特開２０１２−１３６９００号公報
【発明の概要】
【発明が解決しようとする課題】
【０００５】
しかしながら、特許文献１に開示された竪樋支持具では、スペーサの寸法よりも小さい寸法の段階的な調整（微調整）が困難であり、特許文献２に開示された竪樋支持具においても、外壁と竪樋との間隔の段階的な微調整が困難であるため、外壁と竪樋との間隔の微調整が可能な竪樋支持具が望まれている。
【０００６】
本発明は、上述する事情に鑑みてなされたもので、外壁の段差に対応可能であり、かつ、外壁と竪樋との間隔の微調整が可能な竪樋支持具を提供することを目的とする。
【課題を解決するための手段】
【０００７】
上記目的を達成するため、本発明に係る竪樋支持具は、竪樋を外壁に支持固定する竪樋支持具において、前記外壁に取り付けられる第１固定部材と、前記竪樋に取り付けられて前記竪樋を支持するとともに前記第１固定部材と連結可能な第２固定部材と、を備え、前記第１固定部材は、前記第２固定部材側に第１嵌合部を有し、前記第２固定部は、前記第１固定部材側に前記第１嵌合部と嵌合可能な第２嵌合部を有し、前記第１嵌合部および前記第２嵌合部は、前記第１固定部材と前記第２固定部材とを結ぶ第１方向に同じ長さ、前記第１方向と交差する第２方向に同じ長さの複数の段部を有する階段状に形成されていることを特徴とする。
【０００８】
本発明では、第１嵌合部と第２嵌合部の複数の段部がそれぞれ同じ形状に形成されていることにより、第１嵌合部と第２嵌合部と嵌合させるときに、嵌合させる段部を選択することで、第１固定部材に対する第２固定部材の第１方向の位置を変えることができるため、第１固定部材が固定される外壁と第２固定部材が支持する竪樋との間隔を容易に変えることができる。
そして、第１嵌合部と第２嵌合部とは、同じ形状の複数の段部を有する階段状に形成されていることにより、外壁と竪樋との間隔を段階的に微調整することができる。
これにより、外壁に段差がある場合も、この段差に対応して竪樋を外壁に支持固定することができる。
【０００９】
また、本発明に係る竪樋支持具では、前記第１固定部材は、前記第１嵌合部の段部の前記第１方向の長さと前記第２方向の長さとが異なり、前記段部の前記第２方向と前記第１方向とが入れ替わるように向きを変えて前記外壁側に取り付け可能に構成されていることが好ましい。
このようにすることにより、第１固定部材を取り付ける向きを変えることで、段部の第１方向の長さが変わるため、外壁と竪樋との間隔を異なる寸法で段階的に調整することができる。
そして、第１固定部材を取り付ける向きを選択するとともに、嵌合させる第１嵌合部の段部と第２嵌合部の段部とを選択することで、外壁と竪樋との間隔を多くの寸法に対応させることができる。
【００１０】
また、本発明に係る竪樋支持具では、前記第１嵌合部および前記第２嵌合部の一方には、他方側に突出する爪部が形成され、他方には、前記爪部が挿入されて該爪部が係合される開口部が形成されていることが好ましい。
このようにすることにより、第１固定部材と第２固定部材とを確実に、かつ、より強固に連結させることができる。
【発明の効果】
【００１１】
本発明によれば、第１嵌合部と第２嵌合部の複数の段部がそれぞれ同じ形状に形成されていることにより、第１嵌合部と第２嵌合部と嵌合させるときに、嵌合させる段部を選択することで、第１固定部材に対する第２固定部材の第１方向の位置を変えることができるため、第１固定部材が固定される外壁と第２固定部材が支持する竪樋との間隔を容易に変えることができる。
そして、第１嵌合部と第２嵌合部とは、同じ形状の複数の段部を有する階段状に形成されていることにより、外壁と竪樋との間隔を段階的に微調整することができる。
これにより、外壁に段差がある場合も、この段差に対応して竪樋を外壁に支持固定することができる。
【図面の簡単な説明】
【００１２】
【図１】本発明の実施形態による竪樋と竪樋支持具の一例を示す図である。
【図２】竪樋支持具の一例を示す図である。
【図３】第１固定部材の内部を示す図である。
【図４】第２固定部材を示す図である。
【図５】（ａ）は第１固定部材と第２固定部材との嵌合を説明する図、（ｂ）は（ａ）のＤ−Ｄ線断面図である。
【図６】竪樋支持具の寸法を説明する図である。
【図７】第１固定部材の向きを変えた竪樋支持具を説明する図である。
【図８】段差のある外壁に取り付けられた竪樋支持具を説明する図である。
【発明を実施するための形態】
【００１３】
以下、本発明の実施形態による竪樋支持具について、図１乃至図８に基づいて説明する。
図１に示すように、本実施形態による竪樋支持具１は、住宅などの外壁Ｔに取り付けられて、上下方向（図中のＡの方向）に延在する竪樋１１を支持している。本実施形態では、上下方向Ａへ互いに所定の間隔をあけるように外壁Ｔに取り付けられた複数の竪樋支持具１，１…が、１つの竪樋１１を支持している。
【００１４】
竪樋１１は、筒状に形成された筒状体１２と、該筒状体１２の外周面１２ａから筒状体１２の径方向外側に突出するとともに筒状体１２の軸方向へ延在する取付リブ１３とを備えている。
取付リブ１３は、筒状体１２の軸方向に直交する断面視において略Ｔ字状に形成されていて、筒状体１２の外周面１２ａから径方向外側に突出する軸部１４と、該軸部１４の突出方向先端からこの突出方向に直交する方向両側へそれぞれ膨出するように形成された係止部１５と、を備えている。そして、竪樋１１には、筒状体１２と軸部１４および係止部１５に囲まれた溝部１６が形成されている。なお、取付リブ１３は、筒状体１２の外周面から外側に突出していればよく、上記以外の形状としてもよい。
【００１５】
ここで、外壁Ｔの壁面と平行な水平方向を幅方向（図中の矢印Ｂの方向）とし、外壁Ｔの壁面に直交する水平方向を奥行き方向（図中の矢印Ｃの方向）とし、竪樋支持具１の各部材は、竪樋支持具１がその第１固定部材２１の第１外壁当接部２２Ａ（後述する）が外壁Ｔに当接するように取り付けられた状態の方向を使用して説明する。
【００１６】
竪樋支持具１は、例えば、ＡＥＳ樹脂、ＡＢＳ樹脂、ポリカーボネート、ポリ塩化ビニルなどの樹脂を射出成形して製造され、外壁Ｔと竪樋１１との間に設けられたときに外壁Ｔ側に取り付けられる第１固定部材２と、竪樋１１側に取り付けられる第２固定部材３と、第１固定部材２および第２固定部材３を外壁Ｔへ固定するビスなどの固定具４（図２参照）とを備えている。
【００１７】
図２および図３に示すように、第１固定部材２は、所定の幅の中空の部材に形成されていて、幅方向Ｂから見て複数の段部を有する階段状に形成された第１嵌合部２１と、外壁Ｔ（図１参照）に取り付けられるときに外壁Ｔと当接する外壁当接部２２とを備えている。
第１嵌合部２１は、第１固定部材２の第２固定部材３と対向する側に形成されていて、その面方向を奥行き方向Ｃに直交する面方向とする４つの第１板部２３，２３…と、その面方向を水平方向とする４つの第２板部２４，２４…と備え、第１板部２３と第２板部２４とが交互に配列されることで４つの段部が形成されている。
【００１８】
４つの第１板部２３，２３…は、それぞれ同じ形状に形成されているとともに、４つの第２板部２４，２４…は、それぞれ同じ形状に形成されている。
そして、第１板部２３の上下方向（第２方向）Ａの長さｌ２３は、第２板部２４の奥行き方向（第１方向）Ｃの長さｌ２４よりも短くなるように設定されている。
また、第１板部２３，２３…には、それぞれ同じ形状の第１開口部（開口部）２５，２５…が形成され、第２板部２４，２４…には、それぞれ同じ形状の第２開口部（開口部）２６，２６…が形成されている。
【００１９】
外壁当接部２２は、互いに直交する第１外壁当接部２２Ａと第２外壁当接部２２Ｂとを備え、第１固定部材２１が外壁Ｔにとりつけられるときに第１外壁当接部２２Ａまたは第２外壁当接部２２Ｂが外壁Ｔと当接するように構成されている。
また、第１外壁当接部２２Ａは、第２板部２３と対向し、第２外壁当接部２２Ｂは、第２板部２４と対向している。
第１外壁当接部２２Ａおよび第２外壁当接部２２Ｂは、外壁Ｔに取り付けられるときに、その縁部２７が外壁Ｔと当接するように構成されていて、縁部２７の内側は、開口部２８が形成されている。この開口部２８は、第１固定部材２の内部と外部とを連通させている。
なお、第１外壁当接部２２Ａおよび第２外壁当接部２２Ｂは、面状に形成されていてもよく、開口部２８を閉塞可能な蓋材（不図示）が設けられていてもよい。
【００２０】
図２および図４に示すように、第２固定部材３は、幅方向Ｂから見て複数の段部を有する階段状に形成された第２嵌合部３１と、竪樋１１の取付リブ１３（図１参照）を挟持可能な挟持部３２とを備えている。第２固定部材３は、幅方向Ｂの長さが第１固定部材２の幅方向Ｂの長さと略同じとなるように形成されている。
第２嵌合部３１は、第２固定部材３の第１固定部材２と対向する側に形成されていて、その面方向を奥行き方向Ｃに直交する面方向とする３つの第１面部３３，３３…と、その面方向を水平方向とする３つの第２面部３４，３４…と備え、第１面部３３と第２面部３４とが交互に配列されることで３つの段部が形成されている。
【００２１】
３つの第１面部３３，３３…は、それぞれ同じ形状に形成されているとともに、３つの第２面部３４，３４…は、それぞれ同じ形状に形成されている。
そして、第１面部３３は、上下方向Ａの長さｌ３３が第１固定部材２の第１板部２３の上下方向Ａの長さｌ２３と同じ長さとなるように形成され、第２面部３４は、奥行き方向Ｃの長さｌ３４が第１固定部材２の第２板部２４の奥行き方向Ｃの長さｌ２４と同じ長さとなるように形成されている。
【００２２】
また、先端の第一面部３３以外の２つの第１面部３３，３３には、第１固定部材２側に突出する一対の爪部３５，３５がそれぞれ設けられている。
爪部３５は、第１面部３３から奥行き方向Ｃに突出する軸部３５ａと、軸部３５ａの突出方向先端から幅方向Ｃ外側に突起する突起部３５ｂとを有している。
図５に示すように、爪部３５は、第１固定部材２の第１板部２３の第１開口部２５に挿入されると、突起部３５ｂが第１板部２３の第１開口部２５の縁部に引っ掛かり第１板部２３と係合し、第１固定部材２と第２固定部材３とが連結されるように構成されている。
【００２３】
挟持部３２は、第２嵌合部３１と対向する側（竪樋１１側、図１参照）に設けられていて、竪樋１１側に突出し、幅方向Ｂに所定の間隔をあけるように設けられた一対の挟持片３６，３６を備えている。一対の挟持片３６，３６の先端部には、互いに近づく方向に突出する係止部３６ａ，３６ａが設けられていて、一対の挟持片３６，３６の間には、竪樋１１の取付リブ１３が嵌入可能な嵌入溝３７が形成されている。
一対の挟持片３６，３６は、その間隔が取付リブ１３の係止部１５の幅寸法よりも小さい寸法に形成されていて、互いに離間するように弾性変形することで嵌入溝３７に取付リブ１３が嵌入可能に構成されている。このとき、一対の挟持片３６，３６の係止部３６ａ，３６ａは、竪樋１１の溝部１６に挿入されて、取付リブ１３を係止するように構成されている。
【００２４】
また、第２固定部材３には、竪樋支持具１を外壁Ｔに固定するための固定具４が挿通可能な奥行き方向Ｃに貫通する貫通孔３８が形成されている。なお、本実施形態では、貫通孔３８は、３つの第１面部３３のうちの中央の第１面部３３を貫通するように形成されていて、貫通孔３８に挿通された固定具４は、一対の爪部３５，３５の間を通るように構成されている。
また、第１固定部材２と第２固定部材３とが連結している状態において、貫通孔３８に固定具４が挿通されると、第２固定部材３を貫通した固定具４は、第１固定部材２の第１開口部２５を挿通するように構成されている。
【００２５】
次に、本実施形態による竪樋支持具１を使用した竪樋の外壁への取付方法について説明する。
まず、第１固定部材２と第２固定部材３とを連結する。
このとき、図６に示すように、取り付ける竪樋１１（図１参照）と外壁Ｔ１との間隔（ｌ１〜ｌ３）に合わせて、第１固定部材２の第１嵌合部２１と第２固定部材３の第２嵌合部３１とを、互いに嵌合させる段部を選択する。
そして、互いに嵌合させる段部が決定したら、第１固定部材２の第１板部２３の第１開口部２５に第２固定部材３の爪部３５，３５を挿入して係合させ、第１固定部材２と第２固定部材３とを連結させる。
【００２６】
続いて、第１固定部材２の第１外壁当接部２２Ａを外壁Ｔに当接させて、第２固定部材３の貫通孔３８および第１固定部材２の第１開口部２５に固定具４を挿通させて、連結した第１固定部材２および第２固定部材３を外壁Ｔに固定する。
続いて、第２固定部材３の挟持部３２と竪樋１１の取付リブ１３とを係合させて、竪樋１１を第２固定部材３に支持させる。
このようにして、竪樋１１が外壁Ｔに支持される。
【００２７】
次に、上述した実施形態による竪樋支持具１の作用・効果について図面を用いて説明する。
実施形態による竪樋支持具１によれば、第１嵌合部２１と第２嵌合部３１と嵌合させるときに、嵌合させるそれぞれの段部を変えることで、第１固定部材２に対する第２固定部材３の奥行き方向Ｃの位置を変えることができるため、第１固定部材２が固定される外壁Ｔと第２固定部材３が支持する竪樋１１との間隔を容易に変えることができる。
そして、第１嵌合部２１と第２嵌合部３１とは、複数の段部を有する階段状に形成されていることにより、外壁Ｔと竪樋１１との間隔を段階的に微調整することができる。
【００２８】
なお、上記では第１固定部材２の第１外壁当接部２２Ａと外壁Ｔとを当接させているが、図７に示すように、第１固定部材２の第２外壁当接部２２Ｂと外壁Ｔとを当接させるように竪樋支持具１を外壁Ｔに固定してもよい。
このようにすると、第１固定部材２は、第１板部２３の面方向が水平方向となり、第２板部２４の面方向が奥行き方向Ｃに直交する面方向となる。この向きの第１固定部材２と連結される第２固定部材３は、上記の向きの第１固定部材２と連結される第２固定部材３とは異なる形状のものとする。
そして、第１固定部材の第２開口部２６に爪部３５，３５が挿入される。
【００２９】
そして、第１外壁当接部２２Ａが外壁Ｔと当接しているときの第１嵌合部２１の各段部の奥行き方向Ｃの寸法（ｌ２４）と、第２外壁当接部２２Ｂが外壁Ｔと当接しているときの第１嵌合部２１の各段部の奥行き方向Ｃの寸法（ｌ２３）とが異なるため、第１固定部材２の第１外壁当接部２２Ａおよび第２外壁当接部２２Ｂのどちらが外壁Ｔと当接するように取り付けられるかによって、竪樋支持具１の奥行き方向Ｃの寸法（ｌ４）を、異なる寸法ごとに段階的に調整することができる。
そして、第１固定部材２の向きを選択するとともに、嵌合させる第１嵌合部２１の段部と第２嵌合部３１の段部とを選択することで、外壁Ｔと竪樋１１との間隔を多くの寸法に対応させることができる。
【００３０】
また、図８に示すように、外壁Ｔに段差ｌ５がある場合は、この段差に合わせて竪樋支持具１の奥行き方向Ｃの寸法（ｌ６，ｌ７）を調整することができる。これにより、外壁Ｔに段差がある場合も、この段差に対応して竪樋１１を外壁Ｔに支持固定することができる。
また、第１嵌合部２１は第１開口部２５を有し、前記第２嵌合部３１は爪部３５を有していることにより、第１固定部材２と第２固定部材３とを確実にかつ強固に連結させることができる。
【００３１】
以上、本発明による竪樋支持具の実施形態について説明したが、本発明は上記の実施形態に限定されるものではなく、その趣旨を逸脱しない範囲で適宜変更可能である。
例えば、上記の実施形態では、竪樋１１に取付リブ１３が形成されていて、この取付リブ１３を竪樋支持具１が挟持する構成であるが、竪樋支持具１は、竪樋の周囲に巻きつけられて竪樋を支持するバンドを備える構成としてもよい。
また、上記の実施形態では、第１固定部材２の第１板部２３の上下方向Ａの寸法ｌ２３と第２板部２４の奥行き方向Ｃの寸法ｌ２４とが異なるが、同じ寸法としてもよい。これに伴い、第２固定部材３の第１面部３３の上下方向Ａの寸法ｌ３３と第２面部３４の奥行き方向Ｃの寸法ｌ３４とを同じ寸法としてもよい。また、この場合、第１固定部材２の外壁当接部２２は、第１外壁当接部２２Ａおよび第２外壁当接部２２Ｂの２つから構成されず、１つの面のみに形成されていてもよい。
【００３２】
また、上記の実施形態では、第１固定部材２の第１嵌合部２１は４つの段部を備え、第２固定部材３の第２嵌合部３１は３つの段部を備えているが、第１嵌合部２１および第２嵌合部３１の段部の数は任意に設定されてよい。
また、上記の実施形態では、第１嵌合部２１に第１開口部２４および第２開口部２５が形成され、第２嵌合部３１に爪部３５が形成されているが、第１嵌合部２１に爪部３５が形成されて、第２嵌合部３１に爪部３５が係合可能な開口部２４が形成されていてもよい。
また、第１嵌合部２１および第２嵌合部３１に、爪部３５や開口部２４が形成されていない形態としてもよい。
【符号の説明】
【００３３】
１  竪樋支持具
２  第１固定部材
３  第２固定部材
１１  竪樋
２１  第１嵌合部
２２  外壁当接部
２２Ａ  第１外壁当接部
２２Ｂ  第２外壁当接部
２４  第１開口部（開口部）
２５  第２開口部（開口部）
３１  第２嵌合部
３５  爪部
Ａ  上下方向（第２方向）
Ｂ  幅方向
Ｃ  奥行き方向（第１方向）
【図１】
2015067989.tif 000003
【図２】
2015067989.tif 000004
【図３】
2015067989.tif 000005
【図４】
2015067989.tif 000006
【図５】
2015067989.tif 000007
【図６】
2015067989.tif 000008
【図７】
2015067989.tif 000009
【図８】
2015067989.tif 000010